【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
光を反射する基準板と、
記録媒体と前記基準板に光を照射する照射手段と、
前記記録媒体からの反射光を第１の受光部で受光し、前記基準板からの反射光を第２の受光部で受光する受光手段と、
前記受光手段が受光した前記記録媒体からの反射光に基づいて、前記記録媒体の種類を判別する判別手段と、を有する記録媒体判別装置において、
前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする記録媒体判別装置。
【請求項２】
前記受光手段は、前記第１の受光部で受光した前記記録媒体からの反射光を前記記録媒体の画像として撮像する撮像手段であることを特徴とする請求項１に記載の記録媒体判別装置。
【請求項３】
前記判別手段は、前記撮像手段によって撮像された前記記録媒体の画像に基づいて、前記記録媒体の表面状態を判別することを特徴とする請求項２に記載の記録媒体判別装置。
【請求項４】
前記第２の受光部で受光した前記基準板からの反射光の光量に応じて、前記照射手段からの光の光量が調整されることを特徴とする請求項１乃至３のいずれか１項に記載の画像形成装置。
【請求項５】
前記受光手段は、前記第２の受光部で受光した前記基準板からの反射光を前記基準板の画像として撮像する撮像手段であって、前記基準板からの反射光の光量は、前記撮像手段によって撮像された前記基準板の画像のデータから得られることを特徴とする請求項４に記載の記録媒体判別装置。
【請求項６】
前記基準板からの反射光の光量は、前記基準板の画像のデータのうち、前記基準板の端部を介した光を受光して得られたデータを除いたデータから得られることを特徴とする請求項５に記載の記録媒体判別装置。
【請求項７】
前記撮像手段によって撮像された前記記録媒体の画像のデータを補正するための複数の補正データを記憶する記憶手段を有し、
前記第２の受光部で受光した前記基準板からの反射光の光量に応じて、前記記憶手段に記憶された複数の補正データの中から１つの補正データが選択されることを特徴とする請求項２又は３に記載の記録媒体判別装置。
【請求項８】
前記記録媒体の画像のデータから得られる前記記録媒体からの反射光の光量に応じて、前記照射手段からの光の光量が調整され、前記照射手段からの光の光量が調整された後、前記第２の受光部で受光した前記基準板からの反射光の光量に応じて、前記記憶手段に記憶された複数の補正データの中から１つの補正データが選択されることを特徴とする請求項７に記載の記録媒体判別装置。
【請求項９】
前記基準板は固定されていることを特徴とする請求項１乃至８のいずれか１項に記載の記録媒体判別装置。
【請求項１０】
前記受光手段は、前記第１の受光部で受光した前記記録媒体からの反射光と前記第２の受光部で受光した前記基準板からの反射光をそれぞれ同時に画像として撮像する撮像手段であることを特徴とする請求項１乃至９のいずれか１項に記載の記録媒体判別装置。
【請求項１１】
前記基準板の光の反射面と垂直な方向から見て、前記基準板の全ての部分は前記記録媒体が搬送されて通過する領域と重なっていることを特徴とする請求項１乃至１０のいずれか１項に記載の記録媒体判別装置。
【請求項１２】
画像を形成する画像形成手段と、
光を反射する基準板と、
記録媒体と前記基準板に光を照射する照射手段と、
前記記録媒体からの反射光を第１の受光部で受光し、前記基準板からの反射光を第２の受光部で受光する受光手段と、
前記受光手段が受光した前記記録媒体からの反射光に基づいて、前記画像形成手段の画像形成条件を制御する制御手段と、を有する画像形成装置において、
前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする画像形成装置。
【請求項１３】
前記受光手段は、前記第１の受光部で受光した前記記録媒体からの反射光を前記記録媒体の画像として撮像する撮像手段であることを特徴とする請求項１２に記載の画像形成装置。
【請求項１４】
前記制御手段は、前記撮像手段によって撮像された前記記録媒体の画像に基づいて、前記画像形成条件を制御することを特徴とする請求項１３に記載の画像形成装置。
【請求項１５】
前記制御手段は、前記第２の受光部で受光した前記基準板からの反射光の光量に応じて、前記照射手段からの光の光量を調整することを特徴とする請求項１２乃至１４のいずれか１項に記載の画像形成装置。
【請求項１６】
前記受光手段は、前記第２の受光部で受光した前記基準板からの反射光を前記基準板の画像として撮像する撮像手段であって、前記基準板からの反射光の光量は、前記撮像手段によって撮像された前記基準板の画像のデータから得られることを特徴とする請求項１５に記載の画像形成装置。
【請求項１７】
前記基準板からの反射光の光量は、前記基準板の画像のデータのうち、前記基準板の端部を介した光を受光して得られたデータを除いたデータから得られることを特徴とする請求項１６に記載の画像形成装置。
【請求項１８】
前記撮像手段によって撮像された前記記録媒体の画像のデータを補正するための複数の補正データを記憶する記憶手段を有し、
前記制御手段は、前記第２の受光部で受光した前記基準板からの反射光の光量に応じて、前記記憶手段に記憶された複数の補正データの中から１つの補正データを選択することを特徴とする請求項１３又は１４に記載の画像形成装置。
【請求項１９】
前記記録媒体の画像のデータから得られる前記記録媒体からの反射光の光量に応じて、前記制御手段が前記照射手段からの光の光量を調整し、前記照射手段からの光の光量が調整された後、前記制御手段は前記第２の受光部で受光した前記基準板からの反射光の光量に応じて、前記記憶手段に記憶された複数の補正データの中から１つの補正データを選択することを特徴とする請求項１８に記載の画像形成装置。
【請求項２０】
前記基準板は固定されていることを特徴とする請求項１２乃至１９のいずれか１項に記載の画像形成装置。
【請求項２１】
前記受光手段は、前記第１の受光部で受光した前記記録媒体からの反射光と前記第２の受光部で受光した前記基準板からの反射光をそれぞれ同時に画像として撮像する撮像手段であることを特徴とする請求項１２乃至２０のいずれか１項に記載の画像形成装置。
【請求項２２】
前記基準板の光の反射面と垂直な方向から見て、前記基準板の全ての部分は前記記録媒体が搬送されて通過する領域と重なっていることを特徴とする請求項１２乃至２１のいずれか１項に記載の画像形成装置。
【請求項２３】
前記画像形成条件は、記録媒体の搬送速度、又は像担持体に形成された画像を記録媒体に転写する際の転写電圧、又は記録媒体に転写された画像を定着する際の定着温度であることを特徴とする請求項１２乃至２２のいずれか１項に記載の画像形成装置。
【請求項２４】
光を反射する基準板と、
記録媒体と前記基準板に光を照射する照射手段と、
前記記録媒体からの反射光を第１の受光部で受光し、前記基準板からの反射光を第２の受光部で受光する受光手段と、を有する記録媒体検知装置において、
前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする記録媒体検知装置。
【請求項２５】
前記受光手段は、前記第１の受光部で受光した前記記録媒体からの反射光を前記記録媒体の画像として撮像する撮像手段であることを特徴とする請求項２４に記載の記録媒体検知装置。
【請求項２６】
前記撮像手段によって撮像された前記記録媒体の画像に基づいて、前記記録媒体の種類が判別されることを特徴とする請求項２５に記載の記録媒体検知装置。
【請求項２７】
前記撮像手段によって撮像された前記記録媒体の画像に基づいて、前記記録媒体の表面状態が判別されることを特徴とする請求項２６に記載の記録媒体検知装置。
【請求項２８】
前記第２の受光部で受光した前記基準板からの反射光の光量に応じて、前記照射手段からの光の光量が調整されることを特徴とする請求項２４乃至２７のいずれか１項に記載の記録媒体検知装置。
【請求項２９】
前記受光手段は、前記第２の受光部で受光した前記基準板からの反射光を前記基準板の画像として撮像する撮像手段であって、前記基準板からの反射光の光量は、前記撮像手段によって前記基準板の画像のデータから得られることを特徴とする請求項２８に記載の記録媒体検知装置。
【請求項３０】
前記基準板からの反射光の光量は、前記基準板の画像のデータのうち、前記基準板の端部を介した光を受光して得られたデータを除いたデータから得られることを特徴とする請求項２９に記載の記録媒体検知装置。
【請求項３１】
前記第２の受光部で受光した前記基準板からの反射光の光量に応じて、前記撮像手段によって撮像された前記記録媒体の画像のデータを補正するための複数の補正データの中から１つの補正データが選択されることを特徴とする請求項２５乃至２７のいずれか１項に記載の記録媒体検知装置。
【請求項３２】
前記記録媒体の画像のデータから得られる前記記録媒体からの反射光の光量に応じて、前記照射手段からの光の光量が調整され、前記照射手段からの光の光量が調整された後、前記第２の受光部で受光した前記基準板からの反射光の光量に基づいて、複数の前記補正データの中から１つの補正データが選択されることを特徴とする請求項３１に記載の記録媒体検知装置。
【請求項３３】
前記基準板は固定されていることを特徴とする請求項２４乃至３２のいずれか１項に記載の記録媒体検知装置。
【請求項３４】
前記受光手段は、前記第１の受光部で受光した前記記録媒体からの反射光と前記第２の受光部で受光した前記基準板からの反射光をそれぞれ同時に画像として撮像する撮像手段であることを特徴とする請求項２４乃至３３のいずれか一項に記載の記録媒体検知装置。
【請求項３５】
前記基準板の光の反射面と垂直な方向から見て、前記基準板の全ての部分は前記記録媒体が搬送されて通過する領域と重なっていることを特徴とする請求項２４乃至３４のいずれか１項に記載の記録媒体検知装置。
【手続補正２】
【補正対象書類名】明細書
【補正対象項目名】０００７
【補正方法】変更
【補正の内容】
【０００７】
上記目的を達成するために、本発明の記録媒体判別装置は、光を反射する基準板と、記録媒体と前記基準板に光を照射する照射手段と、前記記録媒体からの反射光を第１の受光部で受光し、前記基準板からの反射光を第２の受光部で受光する受光手段と、前記受光手段が受光した前記記録媒体からの反射光に基づいて、前記記録媒体の種類を判別する判別手段と、を有する記録媒体判別装置において、前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする。
また、上記目的を達成するために、本発明の画像形成装置は、画像を形成する画像形成手段と、光を反射する基準板と、記録媒体と前記基準板に光を照射する照射手段と、前記記録媒体からの反射光を第１の受光部で受光し、前記基準板からの反射光を第２の受光部で受光する受光手段と、前記受光手段が受光した前記記録媒体からの反射光に基づいて、前記画像形成手段の画像形成条件を制御する制御手段と、を有する画像形成装置において、前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする。
また、上記目的を達成するために、本発明の記録媒体検知装置は、光を反射する基準板と、記録媒体と前記基準板に光を照射する照射手段と、前記記録媒体からの反射光を第１の受光部で受光し、前記基準板からの反射光を第２の受光部で受光する受光手段と、を有する記録媒体検知装置において、前記第１の受光部が前記記録媒体からの反射光を受光する場合、前記第２の受光部は前記基準板からの反射光を受光し、前記基準板の光の反射面と垂直な方向から見て、前記基準板の少なくとも一部は前記記録媒体が搬送されて通過する領域と重なっていることを特徴とする。